(57)【要約】【課題】  転写後の像保持部材の表面に残留する残留物を２つのブラシ部材を用いたクリーニング装置によって適切に除去されるようにする。【解決手段】  トナー像を転写させた後の像保持部材2の表面に残留する残留物を除去するにあたり、像保持部材の移動方向上流側において接触する第１ブラシ部材31により残留物を一定の極性に帯電させると共に、その下流側において接触する第２ブラシ部材32により上記の残留物を回収させるにあたり、第１ブラシ部材のブラシ繊維１本当りが像保持部材から受ける力f1と、第２ブラシ部材のブラシ繊維１本当りが像保持部材から受ける力f2と、第１ブラシ部材が単位時間当たりに像保持部材から受ける力F1と、第２ブラシ部材が単位時間当たりに像保持部材から受ける力F2とがf1＜f2及びF1＞F2の条件を満たすようにした。【選択図】  図２
2008310124.tif 000002
【特許請求の範囲】
【請求項１】
トナー像を保持して移動する像保持部材からトナー像を転写させた後に、この像保持部材の表面に残留する残留物を除去するクリーニング装置が設けられた画像形成装置において、上記のクリーニング装置に、移動する像保持部材の表面に接触させる２つのブラシ部材を設け、像保持部材の移動方向上流側において接触する第１ブラシ部材によって像保持部材の表面に残留する残留物を一定の極性に帯電させる一方、像保持部材の移動方向下流側において接触する第２ブラシ部材によって上記のように帯電された残留物を像保持部材の表面から回収させるにあたり、上記の第１ブラシ部材におけるブラシ繊維１本当りが像保持部材から受ける力をｆ１、上記の第２ブラシ部材におけるブラシ繊維１本当りが像保持部材から受ける力をｆ２、上記の第１ブラシ部材が単位時間当たりに像保持部材から受ける力をＦ１、上記の第２ブラシ部材が単位時間当たりに像保持部材から受ける力をＦ２とした場合、ｆ１＜ｆ２及びＦ１＞Ｆ２の条件を満たすようにしたことを特徴とする画像形成装置。
【請求項２】
請求項１に記載の画像形成装置において、上記の第１ブラシ部材によって像保持部材の表面に残留する残留物をトナーの帯電極性と同極性に帯電させることを特徴とする画像形成装置。
【請求項３】
請求項１又は請求項２に記載の画像形成装置において、上記の第１ブラシ部材に像保持部材の表面に残留する残留物を所定の極性に帯電させる帯電用バイアス電源を設けると共に、上記の第２ブラシ部材に上記のように帯電された残留物を像保持部材の表面から回収させる回収用バイアス電源を設けたことを特徴とする画像形成装置。
【請求項４】
請求項１〜請求項３の何れか１項に記載の画像形成装置において、上記の第１ブラシ部材におけるブラシの繊維密度が第２ブラシ部材におけるブラシの繊維密度よりも大きいことを特徴とする画像形成装置。
【請求項５】
請求項１〜請求項４の何れか１項に記載の画像形成装置において、上記の第１ブラシ部材におけるブラシの繊維径が第２ブラシ部材におけるブラシの繊維径よりも小さいことを特徴とする画像形成装置。
【発明の詳細な説明】
【技術分野】
【０００１】
本発明は、複写機，プリンタ，ファクシミリ、これらの複合機などの画像形成装置に係り、特に、トナー像を保持して移動する像保持部材からトナー像を転写させた後に、この像保持部材の表面に残留するトナー等の残留物をクリーニング装置によって除去するにあたり、移動する像保持部材の表面に２つのブラシ部材を接触させて、この像保持部材の表面に残留するトナー等の残留物を除去する場合に、ブラシの接触によって像保持部材の表面が傷ついたり、トナー等の残留物が像保持部材の表面に付着してフィルミングが発生したりするのを防止しながら、トナー等の残留物を像保持部材の表面から適切に除去できるようにした点に特徴を有するものである。
【背景技術】
【０００２】
複写機，プリンタ，ファクシミリ、これらの複合機などの画像形成装置においては、トナー像を保持して移動する像保持部材、例えば、トナー像が形成される感光体や、感光体に形成されたトナー像が転写される中間転写体において、このような像保持部材からトナー像を記録媒体等に転写させた後、この像保持部材の表面に残留しているトナー等の残留物をクリーニング装置によって除去することが行われている。
【０００３】
ここで、上記のようにトナー像を転写させた後における像保持部材の表面に残留しているトナー等の残留物を除去するにあたり、従来においては、一般に板状になったクリーニングブレードを像保持部材の表面に圧接させて、像保持部材の表面に残留しているトナー等の残留物を除去するようにしていた。
【０００４】
しかし、このようにクリーニングブレードを像保持部材の表面に圧接させてトナー等の残留物を除去するようにした場合、クリーニングブレードが次第に摩耗してクリーニング性能が低下したり、像保持部材が摩耗してその寿命が短くなったりするなどの問題があった。
【０００５】
また、従来においては、特許文献１〜３に示されるように、移動する像保持部材の表面に２つのブラシローラを接触させて回転させ、この２つのブラシローラにおけるブラシによって像保持部材の表面に残留するトナー等の残留物を除去するようにしたものが提案されている。
【０００６】
しかし、このように２つのブラシローラを移動する像保持部材の表面に接触させて回転させ、この像保持部材の表面に残留するトナー等の残留物を十分に除去するにあたり、像保持部材の表面に対して接触させる２つのブラシローラにおけるブラシの圧力を高くすると、ブラシとの接触によって像保持部材の表面が傷ついたり、トナー等の残留物が像保持部材の表面に付着してフィルミングが発生したりするという問題があった。
【０００７】
そして、特許文献１においては、像保持部材の移動方向上流側において接触するブラシローラにおけるブラシ繊維１本当りの像保持部材に対する押圧力を、像保持部材の移動方向下流側において接触するブラシローラにおけるブラシ繊維１本当りの像保持部材に対する押圧力よりも大きくして、像保持部材の表面が傷ついたりするのを防止することが提案されている。
【０００８】
また、特許文献２においては、像保持部材の移動方向上流側において接触する第１のブラシローラにより、像保持部材の表面における残留量が少ない一方の極性のトナーを静電的に吸引しながら掻き取る一方、像保持部材の移動方向下流側において接触する第２のブラシローラにより、像保持部材の表面における残留量が多い他方の極性のトナーを静電的に吸引しながら掻き取るようにして、像保持部材の表面にトナーがフィルミングされるのを防止することが提案されている。
【０００９】
また、特許文献３においては、２つのブラシローラと接触するようにして回収ローラを設け、この回収ローラに交番電界を作用させて、２つのブラシローラからトナーや紙粉等を回収させることが提案されている。
【００１０】
しかし、上記の特許文献１〜３の何れのものにおいても、依然として、２つのブラシローラによって像保持部材の表面に残留するトナー等の残留物を十分に除去することが困難であり、特に、高速で画像形成を行う場合において、トナーの外添剤などの残留物を像保持部材の表面から十分に回収することができないという問題があった。
【特許文献１】特開２００５−１７４１６号公報
【特許文献２】特開２００５−２７５０８６号公報
【特許文献３】特開平５−２７６５１号公報
【発明の開示】
【発明が解決しようとする課題】
【００１１】
本発明は、トナー像を保持して移動する像保持部材からトナー像を転写させた後に、この像保持部材の表面に残留するトナー等の残留物をクリーニング装置によって除去する場合における上記のような問題を解決することを課題とするものである。
【００１２】
そして、本発明においては、上記のように移動する像保持部材の表面に２つのブラシ部材を接触させて、この像保持部材の表面に残留するトナー等の残留物を除去するにあたり、ブラシの接触によって像保持部材の表面が傷ついたり、トナー等の残留物が像保持部材の表面に付着してフィルミングが発生したりするのを防止しながら、トナー等の残留物を像保持部材の表面から適切に除去できるようにすることを課題とするものである。
【課題を解決するための手段】
【００１３】
本発明に係る画像形成装置においては、上記のような課題を解決するため、トナー像を保持して移動する像保持部材からトナー像を転写させた後に、この像保持部材の表面に残留する残留物を除去するクリーニング装置が設けられた画像形成装置において、上記のクリーニング装置に、移動する像保持部材の表面に接触させる２つのブラシ部材を設け、像保持部材の移動方向上流側において接触する第１ブラシ部材によって像保持部材の表面に残留する残留物を一定の極性に帯電させる一方、像保持部材の移動方向下流側において接触する第２ブラシ部材によって上記のように帯電された残留物を像保持部材の表面から回収させるにあたり、上記の第１ブラシ部材におけるブラシ繊維１本当りが像保持部材から受ける力をｆ１、上記の第２ブラシ部材におけるブラシ繊維１本当りが像保持部材から受ける力をｆ２、上記の第１ブラシ部材が単位時間当たりに像保持部材から受ける力をＦ１、上記の第２ブラシ部材が単位時間当たりに像保持部材から受ける力をＦ２とした場合、ｆ１＜ｆ２及びＦ１＞Ｆ２の条件を満たすようにした。
【００１４】
ここで、上記の第１ブラシ部材によって像保持部材の表面に残留する残留物を一定の極性に帯電させるにあたっては、一般に、像保持部材の表面に残留する残留物をトナーの帯電極性と同極性に帯電させ、このようにトナーと同極性に帯電された残留物を上記の第２ブラシ部材によって像保持部材の表面から回収させるようにする。
【００１５】
そして、上記のように第１ブラシ部材によって像保持部材の表面に残留する残留物を一定の極性に帯電させる一方、像保持部材の移動方向下流側において接触する第２ブラシ部材によって上記のように帯電された残留物を像保持部材の表面から回収させるにあたっては、第１ブラシ部材に像保持部材の表面に残留する残留物を所定の極性に帯電させる帯電用バイアス電源を設けると共に、上記の第２ブラシ部材に上記のように帯電された残留物を像保持部材の表面から回収させる回収用バイアス電源を設けるようにすることができる。
【００１６】
また、上記の画像形成装置において、上記の第１ブラシ部材及び第２ブラシ部材におけるブラシ繊維１本当りが像保持部材から受ける力ｆ（Ｎ）は、像保持部材に対するブラシの食い込み量をＫ（ｍ）、ブラシ繊維のヤング率をＥ（Ｎ／ｍ2）、ブラシの繊維径をＤ（ｍ）、ブラシの繊維長をＬ（ｍ）とした場合、
ｆ（Ｎ）＝（３π／６４）×Ｋ×Ｅ×Ｄ4×Ｌ-3
で表わされる。
【００１７】
なお、上記の式は、ブラシ部材におけるブラシを片持ち梁と仮定し、ブラシ繊維１本当りが像保持部材から受ける力ｆを片持ち梁の先端に加わる荷重とし、ブラシの食い込み量Ｋを片持ち梁の先端のたわみ量として算出したものである。
【００１８】
また、上記の第１ブラシ部材及び第２ブラシ部材が単位時間当たりに像保持部材から受ける力Ｆ（Ｎ／ｓ）は、ブラシの繊維密度をＭ（本／ｍ2）、ブラシと像保持部材とが当接する部分における相対速度をＵ（ｍ／ｓ）、ブラシと像保持部材とが当接する部分の幅をＮ（ｍ）とした場合、
Ｆ（Ｎ／ｓ）＝ｆ×Ｍ×Ｕ×Ｎ
で表わされる。
【００１９】
そして、上記の画像形成装置において、上記のように第１ブラシ部材におけるブラシ繊維１本当りが像保持部材から受ける力ｆ１を、第２ブラシ部材におけるブラシ繊維１本当りが像保持部材から受ける力ｆ２よりも小さくする（ｆ１＜ｆ２）と共に、上記の第１ブラシ部材が単位時間当たりに像保持部材から受ける力Ｆ１を、第２ブラシ部材が単位時間当たりに像保持部材から受ける力Ｆ２よりも大きくする（Ｆ１＞Ｆ２）にあたっては、例えば、上記の第１ブラシ部材に、ブラシの繊維密度が第２ブラシ部材におけるブラシの繊維密度よりも大きいものを用いるようにしたり、ブラシの繊維径が第２ブラシ部材におけるブラシの繊維径よりも小さくものを用いるようにしたりすることができる。
【発明の効果】
【００２０】
本発明の画像形成装置においては、上記のようにトナー像を転写させた後の像保持部材の表面に２つのブラシ部材を接触させて、像保持部材の表面に残留するトナー等の残留物を除去するにあたり、像保持部材の移動方向上流側において接触する第１ブラシ部材によって像保持部材の表面に残留する残留物を一定の極性に帯電させる一方、像保持部材の移動方向下流側において接触する第２ブラシ部材によって上記のように帯電された残留物を像保持部材の表面から回収させるようにしたため、転写後の像保持部材の表面に残留するトナーやその外添剤等の残留物が像保持部材の表面から適切に除去されるようになる。
【００２１】
また、本発明の画像形成装置においては、上記のように第１ブラシ部材が単位時間当たりに像保持部材から受ける力Ｆ１を、第２ブラシ部材が単位時間当たりに像保持部材から受ける力Ｆ２よりも大きくしたため、この第１ブラシ部材によって像保持部材の表面に残留する残留物全体が均一に所定の極性に帯電されるようになり、このように帯電された残留物が上記の第２ブラシ部材によって適切に回収されるようになる。
【００２２】
また、この第１ブラシ部材におけるブラシ繊維１本当りが像保持部材から受ける力ｆ１を、第２ブラシ部材におけるブラシ繊維１本当りが像保持部材から受ける力ｆ２よりも小さくしたため、像保持部材の表面に残留する残留物がこの第１ブラシ部材により掻き取られて飛散するのが防止されると共に、残留物が第１ブラシ部材における各ブラシにより像保持部材の表面に強く押し付けられて像保持部材の表面にフィルミングされるのが防止され、上記の第２ブラシ部材によって像保持部材の表面に残留する残留物がさらに効率よく回収されるようになる。
【発明を実施するための最良の形態】
【００２３】
次に、この発明の実施形態に係る画像形成装置を添付図面に基づいて具体的に説明する。なお、本発明に係る画像形成装置は、下記の実施形態に示したものに限定されず、その要旨を変更しない範囲において適宜変更して実施できるものである。
【００２４】
この実施形態の画像形成装置においては、図１に示すように、その装置本体１内に４つのイメージングカートリッジ１０Ａ〜１０Ｄを装着させるようにしている。
【００２５】
ここで、上記の各イメージングカートリッジ１０Ａ〜１０Ｄにおいては、回転するドラム状の感光体１１と、この感光体１１の表面を帯電させる帯電装置１２と、帯電された感光体１１の表面に画像情報に応じた露光を行って感光体１１の表面に静電潜像を形成する露光装置１３と、上記の感光体１１の表面に形成された静電潜像にトナーを供給してトナー像を形成する現像装置１４と、感光体１１の表面に形成されたトナー像を中間転写ベルト２に転写させた後の感光体１１の表面にクリーニングブレード１５ａを圧接させて感光体１１の表面に残留するトナー等の残留物を除去する第１クリーニング装置１５が設けられている。
【００２６】
そして、この実施形態に係る画像形成装置において、フルカラーの画像形成を行うにあたっては、上記の各イメージングカートリッジ１０Ａ〜１０Ｄにおける各現像装置１４に、黒色，黄色，マゼンダ色，シアン色の異なった色彩のトナーを収容させ、各イメージングカートリッジ１０Ａ〜１０Ｄにおいて、各感光体１１の表面にそれぞれの色彩のトナー像を形成するようにしている。
【００２７】
次いで、このように各イメージングカートリッジ１０Ａ〜１０Ｄにおける各感光体１１の表面に形成された各色彩のトナー像を、ローラ２ａに架け渡されて回転移動する中間転写ベルト２に順々に転写させて、この中間転写ベルト２の上にフルカラーのトナー像を形成する一方、各感光体１１の表面に残留するトナー等の残留物を上記の第１クリーニング装置１５によって除去するようにしている。
【００２８】
そして、給紙ローラ３により記録媒体Ｓを給紙し、タイミングローラ４によってこの記録媒体Ｓを適当なタイミングで上記の中間転写ベルト２と転写ローラ５との間に導き、中間転写ベルト２上に形成された上記のフルカラーのトナー像をこの記録媒体Ｓに転写させ、このようにフルカラーのトナー像が転写された記録媒体Ｓを定着装置６に導き、上記のフルカラーのトナー像を記録媒体Ｓに定着させた後、この記録媒体Ｓを排紙ローラ７により排紙させるようにしている。
【００２９】
また、上記のように中間転写ベルト２上に形成されたフルカラーのトナー像を記録媒体Ｓに転写させた場合に、記録媒体Ｓに転写されずに中間転写ベルト２の表面に残ったトナー等の残留物を第２クリーニング装置３０によって中間転写ベルト２から除去するようにしている。
【００３０】
ここで、この実施形態においては、図１及び図２に示すように、上記のように記録媒体Ｓに転写されずに中間転写ベルト２の表面に残ったトナー等の残留物を除去する第２クリーニング装置３０に、２つのブラシ部材として、上記の中間転写ベルト２の表面に接触して回転する２つのブラシローラ３１，３２を設け、この２つのブラシローラ３１，３２におけるブラシ３１ａ，３２ａが上記の中間転写ベルト２の表面に接触する位置において、各ブラシローラ３１，３２が中間転写ベルト２と逆方向に移動するように回転させている。
【００３１】
そして、上記の中間転写ベルト２の移動方向上流側において接触する第１ブラシローラ３１に対して、帯電用バイアス電源３３から上記のトナーの帯電極性と同極性の帯電用バイアス電圧を印加させ、この第１ブラシローラ３１により、上記の中間転写ベルト２の表面に残留するトナー等の残留物をトナーと同極性に帯電させるようにしている。
【００３２】
また、上記の中間転写ベルト２の移動方向下流側において接触する第２ブラシローラ３２に対しては、回収用バイアス電源３４から回収ローラ３５を通してトナーの帯電極性と逆極性の回収用バイアス電圧を印加させ、上記のように帯電されたトナー等の残留物を、この第２ブラシローラ３２に電気的に吸引させると共に、この第２ブラシローラ３２におけるブラシ３２ａによってトナー等の残留物を、中間転写ベルト２の表面からこの第２ブラシローラ３２に回収させるようにしている。
【００３３】
そして、このように第２ブラシローラ３２に回収されたトナー等の残留物を、さらに上記の回収ローラ３５に電気的に吸引させて回収し、この回収ローラ３５にブレード３６を圧接させて、この回収ローラ３５から回収された残留物を除去するようにしている。
【００３４】
また、このようにして中間転写ベルト２の表面に残留するトナー等の残留物を、上記の第１ブラシローラ３１と第２ブラシローラ３２とによって中間転写ベルト２の表面から除去するにあたり、上記の第１ブラシローラ３１におけるブラシ繊維１本当りが中間転写ベルト２から受ける力ｆ１を、第２ブラシローラ３２におけるブラシ繊維１本当りが中間転写ベルト２から受ける力ｆ２よりも小さくすると共に、第１ブラシローラ３１が単位時間当たりに中間転写ベルト２から受ける力Ｆ１を、第２ブラシローラ３２が単位時間当たりに中間転写ベルト２から受ける力Ｆ２よりも大きくしている。
【００３５】
このようにすると、前記のように中間転写ベルト２の表面に残留するトナー等の残留物がこの第１ブラシローラ３１により掻き取られて飛散したり、この残留物が第１ブラシローラ３１の各ブラシ３１ａにより中間転写ベルト２の表面に強く押し付けられてフィルミングされるのが防止されると共に、中間転写ベルト２の表面に残留するトナー等の残留物全体が、この第１ブラシローラ３１によって均一に所定の極性に帯電されるようになり、このように帯電された残留物が上記の第２ブラシローラ３２によって適切に回収されるようになる。
【００３６】
なお、この実施形態においては、中間転写ベルト２の表面に残ったトナー等の残留物を除去する２つのブラシ部材として、それぞれ中間転写ベルト２の表面に接触して回転するブラシローラ３１，３２を用いるようにしたが、中間転写ベルト２の表面に残ったトナー等の残留物を除去するのに使用するブラシ部材はこのようなものに限定されず、図示していないが、上記のブラシローラ３１，３２の少なくとも一方を、基材にブラシを植設させた通常のブラシ部材に変更させ、このブラシ部材におけるブラシを上記の中間転写ベルトの表面に接触させるようにすることも可能である。
【００３７】
また、この実施形態においては、中間転写ベルト２の表面に残留するトナー等の残留物を除去する第２クリーニング装置３０だけを上記のように構成したが、に、２つのブラシローラ３１，３２を設けるようにしたが、上記の各感光体１１の表面に残留するトナー等の残留物を除去させる各第１クリーニング装置１５についても、上記の第２クリーニング装置３０と同様に構成することが可能である。
【００３８】
次に、負帯電トナーを用いた市販の複写機（コニカミノルタ社製：ＢｉｚｈｕｂＣ４５０）を改造し、中間転写ベルトの表面に残ったトナー等の残留物を除去する第２クリーニング装置に、上記の実施形態に示すように、中間転写ベルトの表面に接触して回転する２つのブラシローラを設けるようにした。
【００３９】
そして、中間転写ベルトの移動方向上流側において接触する第１ブラシローラに対して、帯電用バイアス電源からトナーと同極性の（−）の帯電用バイアス電圧を印加させて、この第１ブラシローラから中間転写ベルトに−５０μＡの電流が流れるようにして、中間転写ベルトの表面に残留するトナー等の残留物を（−）に帯電させるようにした。
【００４０】
一方、中間転写ベルトの移動方向下流側において接触する第２ブラシローラに対しては、回収用バイアス電源から回収ローラを通してトナーの帯電極性と逆極性の（＋）の回収用バイアス電圧を印加させ、この第２ブラシローラから中間転写ベルトに＋５０μＡの電流が流れるようにして、上記のように（−）に帯電されたトナー等の残留物をこの第２ブラシローラによって回収するようにした。
【００４１】
また、上記の２つのブラシローラを中間転写ベルトの表面に接触させて回転させるにあたり、これらのブラシローラを中間転写ベルトの表面に接触させて回転させる条件を、下記の表１のブラシ条件Ａ〜Ｊに示すように、ブラシ繊維のヤング率Ｅ（Ｎ／ｍ2）、ブラシの繊維径Ｄ（ｍ）、ブラシの繊維長Ｌ（ｍ）、ブラシの食い込み量Ｋ（ｍ）、ブラシの繊維密度Ｍ（本／ｍ2）、ブラシと中間転写ベルトとが当接する部分の幅Ｎ（ｍ）、ブラシと中間転写ベルトとが当接する部分における相対速度Ｕ（ｍ／ｓ）を変更させて、ブラシ繊維１本当りが像保持部材から受ける力ｆ（Ｎ）及びブラシ全体が単位時間当たりに像保持部材から受ける力Ｆ（Ｎ／ｓ）を変更させるようにした。
【００４２】
【表１】
2008310124.tif 000003
【００４３】
そして、中間転写ベルトの移動方向上流側における第１ブラシローラと、中間転写ベルトの移動方向下流側における第２ブラシローラとを、中間転写ベルトの表面に接触させて回転させるにあたり、下記の表２の実験１〜９に示すように、第１ブラシローラにおけるブラシ条件を上記のブラシ条件Ａ〜Ｉに変更させる一方、第２ブラシローラにおけるブラシ条件を上記のブラシ条件Ｊにし、第１ブラシローラのブラシ繊維１本当りが中間転写ベルトから受ける力ｆ１と、第２ブラシローラのブラシ繊維１本当りが中間転写ベルトから受ける力ｆ２との大小、第１ブラシローラが単位時間当たりに中間転写ベルトから受ける力Ｆ１と、第２ブラシローラが単位時間当たりに中間転写ベルトから受ける力Ｆ２との大小を求めると共に、１０万枚のベタ画像の画像形成を行い、第１ブラシローラにおける残留物の飛散状態及び中間転写ベルトの表面における残留物の回収性能を評価し、その結果を、下記の表２に合わせて示した。
【００４４】
ここで、第１ブラシローラにおける残留物の飛散状態の評価については、第１ブラシローラ周辺における残留物の飛散状態を調べ、飛散がないか、微量である場合を○、飛散が多い場合を×で示した。
【００４５】
また、中間転写ベルトの表面における残留物の回収性能の評価については、中間転写ベルトの表面に残留する残留物の量を調べ、残留物の量が少ない場合を○、残留物の量が多い場合を×で示した。
【００４６】
【表２】
2008310124.tif 000004
【００４７】
この結果、上記のように中間転写ベルトの移動方向上流側において接触する第１ブラシローラにより中間転写ベルトの表面に残留するトナー等の残留物を帯電させ、このように帯電されたトナー等の残留物を中間転写ベルトの移動方向下流側において接触する第２ブラシローラによって中間転写ベルトから回収するにあたり、本発明のように、第１ブラシローラのブラシ繊維１本当りが中間転写ベルトから受ける力ｆ１と、第２ブラシローラのブラシ繊維１本当りが中間転写ベルトから受ける力ｆ２とがｆ１＜ｆ２の条件を満たすと共に、第１ブラシローラが単位時間当たりに中間転写ベルトから受ける力Ｆ１と、第２ブラシローラが単位時間当たりに中間転写ベルトから受ける力Ｆ２とがＦ１＞Ｆ２の条件を満たす実験４〜９においては、第１ブラシローラにおける残留物の飛散が抑制されると共に、中間転写ベルトの表面における残留物の回収性能も良好であった。
【図面の簡単な説明】
【００４８】
【図１】本発明の一実施形態に係る画像形成装置を示した概略説明図である。
【図２】同実施形態の画像形成装置において、転写後における中間転写ベルトの表面に残留するトナー等の残留物を、２つのブラシローラが設けられた第２クリーニング装置によって中間転写ベルトから除去する状態を示した概略説明図である。
【符号の説明】
【００４９】
１  装置本体
２  中間転写ベルト（像保持部材）
２ａ  ローラ
３  給紙ローラ
４  タイミングローラ
５  転写ローラ
６  定着装置
７  排紙ローラ
１０Ａ〜１０Ｄ  イメージングカートリッジ
１１  感光体
１２  帯電装置
１３  露光装置
１４  現像装置
１５  第１クリーニング装置
１５ａ  クリーニングブレード
３０  第２クリーニング装置
３１  第１ブラシローラ（第１ブラシ部材）
３１ａ  ブラシ
３２  第２ブラシローラ（第２ブラシ部材）
３２ａ  ブラシ
３３  帯電用バイアス電源
３４  回収用バイアス電源
３５  回収ローラ
３６  ブレード
Ｓ  記録媒体
【図１】
2008310124.tif 000005
【図２】
2008310124.tif 000006